(57)【要約】【課題】顧客が購入しようとする各食品の栄養成分やその合算値を容易に把握可能な栄養成分表示装置を提供すること。【解決手段】ＲＦＩＤリーダ６により、買い物籠４に収納された食品に付されたＲＦＩＤタグからカロリー，たんぱく質，脂質等の栄養成分情報を検出する。そして、各食品から検出した栄養成分情報をディスプレイ７に表示する。このとき、各食品から検出した栄養成分情報の合算値と、１日に摂取すべき基準値とを併せて表示する。【選択図】    図１
2010250551.tif 000002
【特許請求の範囲】
【請求項１】
通信領域内に所在する商品に取り付けられた無線タグから無線通信により当該商品に関する情報を読み取る無線通信手段と、
この無線通信手段により前記無線タグから読み取った情報に基づいて当該無線タグが取り付けられた商品の栄養成分情報を特定する情報特定手段と、
この情報特定手段により特定された栄養成分情報を表示する表示手段と、
を備えていることを特徴とする栄養成分表示装置。
【請求項２】
前記無線通信手段により複数の無線タグから情報が読み取られ、前記情報特定手段により当該複数の無線タグから読み取った情報に基づく商品の栄養成分情報が特定された場合、各栄養成分情報のうち、同一の成分に関する情報の合算値を算出する算出手段をさらに備え、
前記表示手段は、前記情報検出手段により検出された栄養成分情報に併せて前記算出手段により算出された合算値を表示することを特徴とする請求項１に記載の栄養成分表示装置。
【請求項３】
前記表示手段は、前記栄養成分情報に併せて１日に摂取すべき各栄養成分情報の基準値と比較可能な態様にて表示することを特徴とする請求項１又は２に記載の栄養成分表示装置。
【請求項４】
前記栄養成分情報は、カロリー，たんぱく質，脂質，炭水化物，食塩の少なくとも１つに関する情報であることを特徴とする請求項１乃至３のうちいずれか１に記載の栄養成分表示装置。
【発明の詳細な説明】
【技術分野】
【０００１】
本発明は、スーパーマーケット等で販売される食品の栄養成分を表示する栄養成分表示装置に関する。
【背景技術】
【０００２】
従来、スーパーマーケット等の食料品の販売店舗には、顧客が購入しようとする商品を運び易いように便宜を図るべく、買い物籠やこの買い物籠を取り付け可能なショッピングカートが用意されている。
【０００３】
また、買い物における利便性を向上させるべく、顧客に買い物に役立つ情報を提供するための種々の発明がなされている。例えば、特許文献１に記載された情報提供装置は、上記買い物籠が取り付けられたショッピングカートに表示部を設け、ショッピングカートの通過位置に応じて表示部に商品に関する情報等を表示するよう構成されている。
【発明の概要】
【発明が解決しようとする課題】
【０００４】
近年、我が国における健康意識の高まりを受け、カロリーや各種栄養素等の栄養成分情報が顧客の食品選定に与える影響が高まっている。中には、食品のカロリー等を合算しながら買い物を行う顧客も多い。
【０００５】
このように、いちいち購入商品の栄養成分表示を確認してそれらを合算するのは顧客にとって面倒であるし、繁盛時等においては、購入商品の選定が遅れることで店内がより混雑してしまう虞もある。
【０００６】
本発明は、上記のような事情に基づいてなされたものであり、その目的は、顧客が購入しようとする各食品の栄養成分やその合算値を容易に把握可能な栄養成分表示装置を提供することである。
【課題を解決するための手段】
【０００７】
本発明に係る栄養成分表示装置は、通信領域内に所在する商品に取り付けられた無線タグから無線通信により当該商品に関する情報を読み取る無線通信手段と、この無線通信手段により前記無線タグから読み取った情報に基づいて当該無線タグが取り付けられた商品の栄養成分情報を特定する情報特定手段と、この情報特定手段により特定された栄養成分情報を表示する表示手段とを備えていることを特徴としている。
【発明の効果】
【０００８】
かかる手段を講じた本発明によれば、顧客が購入しようとする各食品の栄養成分やその合算値を容易に把握可能な栄養成分表示装置を提供することができる。
【図面の簡単な説明】
【０００９】
【図１】本発明の一実施形態における栄養成分表示装置を取り付けたショッピングカートの斜視図。
【図２】同実施形態における栄養成分表示装置の制御回路を示すブロック図。
【図３】同実施形態における読取データファイルのデータ構造を示す図。
【図４】同実施形態においてＣＰＵが実行する処理の流れ図。
【図５】同実施形態における栄養成分表示の表示例を示す図。
【発明を実施するための形態】
【００１０】
以下、本発明を実施するための一実施形態について図面を参照しながら説明する。なお、本実施形態は、スーパーマーケット等の食品販売を行う店舗にて使用されるショッピングカートに本発明に係る栄養成分表示装置を取り付けて使用する場合である。
【００１１】
図１は、ショッピングカート１の概観斜視図である。ショッピングカート１は、ハンドル等を備えたフレーム２の下方部に４つのキャスター３が取り付けられ、前後左右方向に移動可能となっている。また、フレーム２の上部には、買い物籠４、表示手段である表示制御部５、および無線通信手段であるＲＦＩＤ（Radio Frequency Identification）リーダ６が取り付けられている。なお、表示制御部５とＲＦＩＤリーダ６とは、栄養成分表示装置を構成する。
【００１２】
上記買い物籠４は、フレーム２に着脱自在に取り付けられ、上方から商品を投入可能な開口部を有している。上記表示制御部５は、制御盤にＬＣＤ（Liquid Crystal Display）等のディスプレイ７を一体として取り付けたものである。上記ＲＦＩＤリーダ６は、高周波信号を電波として発信するとともに受信した電波を高周波信号として出力するアンテナと、所定のデジタル信号を高周波信号に変調して上記アンテナに出力する変調部と、上記アンテナが出力する高周波信号をデジタル信号に復調する復調部とを備えている。ＲＦＩＤリーダ６のアンテナから発信される電波は買い物籠４の取り付け方向に指向性を有し、当該電波の通信可能範囲に存在するＲＦＩＤタグと無線通信を行う。
【００１３】
図２は、栄養成分表示装置の制御回路を示すブロック図である。表示制御部５は、制御の中枢としてＣＰＵ１０を備えている。そして、ＣＰＵ１０にＲＯＭ（Read Only Memory）やＲＡＭ（Random Access Memory）等で構成されたメモリ１１、ＬＡＮ（Local Area Network）ケーブル等を介して外部機器との接続を司るＬＡＮインターフェイス（Ｉ／Ｆ）１２、ディスプレイ７の画面表示を制御するディスプレイコントローラ１３、および上記ＲＦＩＤリーダ６を制御するＲＦＩＤリーダコントローラ１４が接続されている。
【００１４】
当該店舗で販売される食品２０には、ＩＣとアンテナとを備えた無線タグであるＲＦＩＤタグ２１が取り付けられている。ＲＦＩＤタグ２１のＩＣには、ＲＦＩＤタグ２１毎に割り当てられたユニークなタグコードと、取り付け対象となる食品２０のＰＬＵ（Price Look Up）コードと、当該食品２０のカロリー，たんぱく質，脂質，炭水化物，食塩等の栄養成分情報とが記憶されている。
【００１５】
買い物籠４に食品２０が収納されたているとき、ＲＦＩＤリーダ６が当該食品２０に取り付けられたＲＦＩＤタグ２１と電波を介して無線通信を行い、そのタグコード，ＰＬＵコード，および栄養成分情報を読み取る。
【００１６】
なお、ＲＦＩＤリーダ６が買い物籠に収納された食品２０に取り付けられたＲＦＩＤタグ２１とのみ無線通信を行い、店内に陳列された食品２０に取り付けられたＲＦＩＤタグ２１と無線通信を行わないように、ＲＦＩＤリーダ６が発する電波の強弱を調整して通信可能範囲が設定されている。
【００１７】
上記メモリ１１には、ＰＬＵファイル３０、基準栄養成分ファイル３１、および読取データファイル３２が記憶されている。上記ＰＬＵファイル３０には、当該店舗にて販売される食品２０のＰＬＵコードに対応付けてその食品２０の名称が記憶されている。ＰＬＵファイル３０は、店内で販売される食品２０の種類の変動に対処すべく、栄養成分表示装置がＬＡＮインターフェイス１２を介して上位機器と接続された際等に更新される。  
上記基準栄養成分ファイル３１には、成人男性が一日に摂取すべき各栄養成分の基準値と、成人女性が一日に摂取すべき各栄養成分の基準値とが記憶されている。
【００１８】
図３に上記読取データファイル３２のデータ構造の一例を示している。読取データファイル３２は、タグコード、ＰＬＵコード、商品名、カロリー、たんぱく質、脂質、炭水化物、および食塩に関する記憶エリアで構成されている。
【００１９】
タグコード，ＰＬＵコード，カロリー，たんぱく質，脂質，炭水化物，食塩の記憶エリアには、それぞれＲＦＩＤタグ２１から読み取ったタグコード，ＰＬＵコード，カロリー，たんぱく質，脂質，炭水化物，食塩の情報が記憶される。商品名の記憶エリアには、ＰＬＵコードの記憶エリアに記憶されたＰＬＵコードに基づいてＰＬＵファイル３０から特定される商品名が記憶される。
【００２０】
次に、栄養成分表示装置の動作について具体的に説明する。  
図４は、顧客がショッピングカート１を使用している際に、ＣＰＵ１０が実行する処理の流れ図である。この処理は、所定のタイミングで周期的に実行され、開始当初においては読取データファイル３２の記憶内容が初期化される。
【００２１】
先ず、ＣＰＵ１０は、ＲＦＩＤリーダコントローラ１４を介してＲＦＩＤリーダ６を制御し、買い物籠４内に所在するＲＦＩＤタグ２１の読み取りを試行する（ＳＴ１）。しかる後、ＲＦＩＤタグ２１からの応答の有無を判断する（ＳＴ２）。買い物籠４に食品２０が収納されていない場合には、ＲＦＩＤタグ２１からの応答が得られない（ＳＴ２のＮｏ）。この場合、所定時間の経過を待った後、再度ＲＦＩＤリーダ６を制御してＲＦＩＤタグ２１の読み取りを試行する（ＳＴ１）。
【００２２】
一方、買い物籠４に食品２０が収納されている場合には、当該食品に付されたＲＦＩＤタグ２１からの応答が得られる（ＳＴ２のＹｅｓ）。この場合、ＣＰＵ１０は、ＲＦＩＤタグ２１からの応答電波に基づく高周波信号を復調して得られるタグコードと同一のタグコードが読取データファイル３２に記憶されているか否かを判断する（ＳＴ３）。
【００２３】
同一のタグコードが記憶されている場合、既に当該ＲＦＩＤタグ２１の読み取りは完了している（ＳＴ３のＹｅｓ）。したがって、ＣＰＵ１０は、当該タグコードに係る読取データを破棄する（ＳＴ５）。一方、同一のタグコードが記憶されていない場合には、未だ当該ＲＦＩＤタグ２１の読み取りは完了していない（ＳＴ３のＮｏ）。したがって、当該タグコードに係る読取データを読取データファイル３２に記憶する（ＳＴ４）。
【００２４】
ＳＴ４又はＳＴ５の処理の後、ＣＰＵ１０は、ＲＦＩＤタグ２１の読み取り処理が完了したか否かを判断する（ＳＴ６）。この判断は、例えばＳＴ１における読み取り処理の試行回数、あるいは読み取り処理の開始からの経過時間に基づいて行われる。上記試行回数は、メモリ１１やＣＰＵ１０が備えるレジスタにカウンタを生成し、ＳＴ１の処理を実行する度に当該カウンタをインクリメントすることで計数可能である。また、上記経過時間は、ＳＴ１の処理を最初に実行したタイミングでＣＰＵ１０が備えるタイマを動作させることで計時可能である。
【００２５】
そして、未だ所定回数以上ＲＦＩＤタグ２１の読み取りを試行してない場合や、試行開始から所定時間が経過していない場合には、ＣＰＵ１０は、ＲＦＩＤタグ２１の読み取り処理は完了していないと判断する（ＳＴ６のＮｏ）。この場合、所定時間の経過を待った後、再度ＲＦＩＤリーダ６を制御してＲＦＩＤタグ２１の読み取りを試行する（ＳＴ１）。
【００２６】
一方、所定回数以上ＲＦＩＤタグ２１の読み取りを試行した場合や、試行開始から所定時間が経過した場合には、ＣＰＵ１０は、ＲＦＩＤタグ２１の読み取り処理は完了したと判断する（ＳＴ６のＹｅｓ）。この場合、読取データファイル３２に記憶された各ＰＬＵコードに基づいて、ＰＬＵファイル３０から各ＰＬＵコードに対応付けられた商品名を特定する（ＳＴ７）。特定した商品名は、各ＰＬＵコードに係る読取データの記憶エリアに記憶する。
【００２７】
しかる後、ＣＰＵ１０は、読取データファイル３２に記憶された各栄養成分の合算値を算出する（ＳＴ８）。算出された合算値は、メモリ１１に形成された作業用記憶領域に記憶する。なお、ＳＴ８の処理は、本実施形態における算出手段を構成する。
【００２８】
そして、ＣＰＵ１０は、ディスプレイコントローラ１３を介してディスプレイ７を制御し、読取データファイル３２に記憶された各食品の名称や栄養成分、ＳＴ８の処理にてメモリ１１に記憶した各栄養成分の合算値、および基準栄養成分ファイル３１に記憶された成人男性，女性が１日に摂取すべき各栄養成分の基準値をディスプレイ７に表示する（ＳＴ９）。  
図５は、図３に示した読取データファイル３２に格納された読取データに基づく栄養成分等が表示されたディスプレイ７の表示画面７０の一例を示す模式図である。表示画面７０は、商品名、カロリー、たんぱく質、脂質、炭水化物、および食塩の表示エリアを有している。各表示エリアには読取データファイル３２に記憶された商品名“おにぎり”，“パン”，“サンドウィッチ”，“ケーキ”，“コーヒー”に関する読取データに係る栄養成分が表示される。この栄養成分の表示エリアに隣接してスクロールバーが設けられており、当該スクロールバーをタッチ操作することで表示エリアを上下方向にスクロールして閲覧できる。したがって、多数の食品が買い物籠４に収納されている場合であっても全ての食品に関する栄養成分を閲覧可能である。
【００２９】
さらに、各食品の栄養成分の表示エリアの下方には、各食品の栄養成分の合算値の表示エリアと、成人男性，女性が１日に摂取すべき各栄養成分の基準値の表示エリアとが設けられている。上記合算値の表示エリアには、ＳＴ８の処理にて算出された各栄養成分の合算値が表示される。上記基準値の表示エリアには、基準栄養成分ファイル３１に記憶された各栄養成分の基準値が、男性と女性とを区別した態様で表示される。
【００３０】
以上説明したように、本実施形態における栄養成分表示装置は、買い物籠４に収納された食品の栄養成分を自動的に読み取り、その内容を表示する。そのため、顧客は、食品を手にとってその包装から栄養成分表示等の記載箇所を探し、内容を確認するなどの作業を行うことを要せず、ディスプレイ７の表示画面を閲覧するだけで容易に栄養成分を把握することができる。
【００３１】
また、買い物籠４に複数の食品が収納されている場合には、各食品の栄養成分の合算値が自動的に算出されて表示される。そのため、顧客は、自ら計算することを要せず容易に購入しようとする食品の栄養成分の合算値を把握することができる。
【００３２】
また、栄養成分等の表示には各栄養成分を１日に摂取すべき基準値が併せて表示される。顧客は、この表示を見て基準値と比較しながら購入する食品を選定することができる。
【００３３】
なお、この発明は前記実施形態そのままに限定されるものではなく実施段階においては、その要旨を逸脱しない範囲内にて各構成要素を適宜変形して具体化することができる。
【００３４】
例えば、上記実施形態においては本発明に係る栄養成分表示装置をショッピングカートに取り付けた場合について説明したが、この実施形式に限定されない。その他、買い物籠に取り付けて使用する等してもよい。
【００３５】
また、栄養成分情報を構成する栄養成分は、カロリー、たんぱく質、脂質、炭水化物、食塩に限定されず、各種ビタミン等他の栄養成分であってもよい。
【００３６】
また、ＲＦＩＤタグ２１には栄養成分情報を記憶せずＰＬＵファイル３０に栄養成分情報を記憶しておき、ＲＦＩＤリーダ６により読み取ったＰＬＵコードに基づいてＰＬＵファイル３０から栄養成分情報を特定するようにしてもよい。
【００３７】
また、基準栄養成分ファイル３１に記憶されるデータは、成人男性，女性が一日に摂取すべき各栄養成分の基準値に限定されず、他の基準値でもよい。
【００３８】
この他、前記実施形態に開示されている複数の構成要素を適宜組み合わせることにより種々の発明を形成することができる。例えば、実施形態に示される全体構成要素から幾つかの構成要素を削除する等してもよい。
【符号の説明】
【００３９】
１…ショッピングカート、２…フレーム、３…キャスタ、４…買い物籠、５…表示制御部、６…ＲＦＩＤリーダ、７…ディスプレイ
【先行技術文献】
【特許文献】
【００４０】
【特許文献１】特開２００５−１０８１８０号公報
【図１】
2010250551.tif 000003
【図２】
2010250551.tif 000004
【図３】
2010250551.tif 000005
【図４】
2010250551.tif 000006
【図５】
2010250551.tif 000007